【手続補正書】
【提出日】平成25年8月29日(2013.8.29)
【手続補正１】
【補正対象書類名】特許請求の範囲
【補正対象項目名】全文
【補正方法】変更
【補正の内容】
【特許請求の範囲】
【請求項１】
前面に開口するコ字状の断熱材にてショーケースの庫内を形成し、前記断熱材の内側より間隔を存して区画板を配設して送風機等を設置する冷気循環ダクトとし、前記庫内に商品を陳列する商品陳列棚を設置したショーケースにおいて、
前記区画板に係脱自在に取り付けられ、前記区画板に設けられたダクト連通孔を介して前記冷気循環ダクトからの冷気を前記庫内に導く中間ダクトと、
前記区画板に回動自在に設けられた第１、第２の回動部材とを備え、
前記第１の回動部材の下端部の前記庫内側の面は、前記第２の回動部材の上端部分の前記冷気循環ダクト側の面と接触した状態で前記ダクト導入孔を閉塞しており、
前記中間ダクトの一部が前記第２の回動部材に差し込まれると、前記第１の回動部材の下端部と前記第２の回動部材の上端部が接触した状態で、前記冷気循環ダクトに進入した前記中間ダクトにより前記第２回動部材の下端部が前記断熱材に接触するまで回動し、前記冷気循環ダクトの冷気を前記中間ダクトに導くことを特徴とするショーケース。
【請求項２】
前記第１および第２の回動部材の上端部は硬質樹脂材で形成され、前記第１および第２の回動部材の下端部は軟質樹脂で覆われていることを特徴とする請求項１記載のショーケース。
【請求項３】
前記第１および第２の回動部材のそれぞれの上端部には支柱が設けられており、
前記第１および第２の回動部材は、該支柱を介して前記区画板の両端に設けられた棚支柱に回動自在に取り付けられていることを特徴とする請求項１又は請求項２に記載されたショーケース。
【請求項４】
前記中間ダクトは前記商品陳列棚の下部に設けられており、
前記商品陳列棚を前記庫内に係止すると、前記中間ダクトの一部が前記冷気循環ダクト内に進入することを特徴とする請求項１乃至請求項３の何れかに記載されたショーケース。
【手続補正２】
【補正対象書類名】明細書
【補正対象項目名】０００８
【補正方法】変更
【補正の内容】
【０００８】
上記特許文献１では、切欠きはショーケースの幅方向に亘って形成していると共に、背面パネルに仕切板を進入させる切欠きを複数形成しなければならず、背面パネルの強度が低下してしまい、変形してしまう虞がある。また、仕切板が進入していない切欠きを完全に閉塞することが難しく、切欠きから冷気が漏れてしまい、十分なエアーカーテンを形成することが出来なくなってします虞もある。
【手続補正３】
【補正対象書類名】明細書
【補正対象項目名】００１２
【補正方法】変更
【補正の内容】
【００１２】
上記目的を達成するために、請求項１の発明のショーケースは、前面に開口するコ字状の断熱材にてショーケースの庫内を形成し、この断熱材の内側より間隔を存して区画板を配設して送風機等を設置する冷気循環ダクトとし、庫内に商品を陳列する商品陳列棚を設置したショーケースにおいて、区画板に係脱自在に取り付けられ、該区画板に設けられたダクト導入孔を介して冷気循環ダクトからの冷気を庫内に導く中間ダクトと、区画板に回動自在に設けられた第１、第２の回動部材とを備え、第１の回動部材の下端部の庫内側の面は、第２の回動部材の上端部分の冷気循環ダクト側の面と接触した状態でダクト導入孔を閉塞しており、中間ダクトの一部が第２の回動部材に差し込まれると、第１の回動部材の下端部と第２の回動部材の上端部が接触した状態で、冷気循環ダクトに進入した中間ダクトにより第２回動部材の下端部が断熱材に接触するまで回動し、冷気循環ダクトの冷気を中間ダクトに導くことを特徴とする。
【手続補正４】
【補正対象書類名】明細書
【補正対象項目名】００１３
【補正方法】変更
【補正の内容】
【００１３】
請求項２の発明のショーケースは、請求項１の発明において、第１および第２の回動部材の上端部は硬質樹脂材で形成され、第１および第２の回動部材の下端部は軟質樹脂で覆われていることを特徴とする。
【手続補正５】
【補正対象書類名】明細書
【補正対象項目名】００１４
【補正方法】変更
【補正の内容】
【００１４】
請求項３の発明のショーケースは、請求項１又は請求項２の発明において、第１および第２の回動部材のそれぞれの上端部には支柱が設けられており、第１および第２の回動部材は、該支柱を介して区画板の両端に設けられた棚支柱に回動自在に取り付けられている
ことを特徴とする。
請求項４の発明のショーケースは、請求項１乃至請求項３の発明において、中間ダクトは商品陳列棚の下部に設けられており、商品陳列棚を庫内に係止すると、中間ダクトの一部が冷気循環ダクト内に進入することを特徴とする。
【手続補正６】
【補正対象書類名】明細書
【補正対象項目名】００１５
【補正方法】変更
【補正の内容】
【００１５】
請求項１の発明のショーケースは、前面に開口するコ字状の断熱材にてショーケースの
庫内を形成し、この断熱材の内側より間隔を存して区画板を配設して送風機等を設置する
冷気循環ダクトとし、庫内に商品を陳列する商品陳列棚を設置したショーケースにおいて、
区画板に係脱自在に取り付けられ、該区画板に設けられたダクト導入孔を介して冷気循環
ダクトからの冷気を庫内に導く中間ダクトと、区画板に回動自在に設けられた第１、第２
の回動部材とを備え、第１の回動部材の下端部の庫内側の面は、第２の回動部材の上端部
分の冷気循環ダクト側の面と接触した状態でダクト導入孔を閉塞しており、中間ダクトの
一部が第２の回動部材に差し込まれると、第１の回動部材の下端部と第２の回動部材の上
端部が接触した状態で、冷気循環ダクトに進入した中間ダクトにより第２回動部材の下端
部が断熱材に接触するまで回動し、冷気循環ダクトの冷気を中間ダクトに導くことで、簡
単に冷蔵商品と温蔵商品の併売を行うことができる。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】変更
【補正の内容】
【００１７】
請求項２の発明のショーケースは、第１および第２の回動部材の上端部は硬質樹脂材で形成され、第１および第２の回動部材の下端部は軟質樹脂で覆われているので、使用していない回動部材から冷気循環ダクトン内を流れる冷気が庫内に漏れることを防ぐことができる。
また、硬質樹脂材に切込みを設けているため、誤って切込みに手を突っ込んでしまっても、怪我をすることはなく安全に使用することができる。
【手続補正９】
【補正対象書類名】明細書
【補正対象項目名】００１８
【補正方法】変更
【補正の内容】
【００１８】
請求項３の発明のショーケースは、第１および第２の回動部材のそれぞれの上端部には支柱が設けられており、第１および第２の回動部材は、該支柱を介して区画板の両端に設けられた棚支柱に回動自在に取り付けられているので、第１および第２の回動部材は該支柱を中心として冷気循環ダクト内を回動することができる。
請求項４の発明のショーケースは、中間ダクトは商品陳列棚の下部に設けられており、商品陳列棚を庫内に係止すると、中間ダクトの一部が冷気循環ダクト内に進入するので、係止した商品陳列棚の上下で温度帯の異なる商品を陳列することができる。
【手続補正１０】
【補正対象書類名】明細書
【補正対象項目名】００２７
【補正方法】変更
【補正の内容】
【００２７】
区画板３には複数の短冊状の硬質樹脂材７が設けられており、前記硬質樹脂材７には、上端にショーケース１の幅方向に亘って図示しない支柱が内蔵されている。この支柱の両端がショーケース内に設けられた棚支柱１７に取り付けられている。硬質樹脂材７は棚支柱１７に取り付けられた支柱を軸となることで、回動する回動部材２０が形成される。
【手続補正１１】
【補正対象書類名】明細書
【補正対象項目名】００３０
【補正方法】変更
【補正の内容】
【００３０】
また、硬質樹脂材７を使用することで、中間ダクト１４との接触によりダクト導入孔２２が破損する虞がなく、安全に使用することができる。